(57)【要約】【課題】画面端が欠けること無く、また視聴者に違和感を感じさせること無く効果的に焼付けを防止し得る映像表示装置を提供する。【解決手段】スクリーンに塗布される蛍光体を発光させてスクリーンに映像を表示する映像表示装置において、スクリーンに表示される映像を複数の領域に区分し、各領域の前記スクリーンに対する面積比を変化させて前記複数の領域の境界線を規定の移動タイミングで移動させるようにした。【選択図】      図２
2005031369.tif 000002
【特許請求の範囲】
【請求項１】
スクリーンに塗布された蛍光体を発光させて前記スクリーンに映像を表示する映像表示装置において、
映像信号源からの入力映像信号を処理して出力する入力映像処理手段と、
前記入力映像処理手段からの映像信号が入力され、前記スクリーンに表示される映像を複数の領域に区分し、各領域の映像信号を処理して前記スクリーンに対する各領域の面積比を一部の領域では増加させ、別の領域では減少させる信号変換手段と、
前記複数領域のそれぞれの面積比を所定のタイミングで変更し、スクリーンに表示される映像の前記複数領域の境界線を移動させる移動手段とを具備したことを特徴とする映像表示装置。
【請求項２】
前記信号変換手段は、前記区分された各領域の映像信号を一部の領域では圧縮処理し、他の領域では伸張処理し、前記スクリーンでの表示エリアの大きさが一定な映像を表示可能にしたことを特徴とする請求項１記載の映像表示装置。
【請求項３】
前記入力映像処理手段は、複数のチャネルから１つのチャネルの映像を選択的に切り替えて出力するチャンネル選択回路を有し、
前記移動手段は、前記選択チャンネルが切り替えられたタイミングで前記複数の領域の面積比を変更することを特徴とする請求項１に記載の映像表示装置。
【請求項４】
前記入力映像処理手段は、複数の入力系統からいずれか１つの系統の映像を選択的に切り替え出力する切り替え回路を具備し、
前記移動手段は、前記切り替え手段により前記入力系統が切り替えられたタイミングで前記複数の領域の面積比を変更することを特徴とする請求項１に記載の映像表示装置。
【請求項５】
スクリーンに塗布された蛍光体を発光させて前記スクリーンに映像を表示する映像表示装置において、
映像信号源からの入力映像信号を処理して出力する入力映像処理手段と、
前記入力映像処理手段からの映像信号の平均映像レベルを検出し、映像のシーン変化を検出する検出手段と、
前記入力映像処理手段からの映像信号を処理し、前記スクリーンに表示される映像を、前記検出手段による検出結果に応答して前記スクリーンの表示エリア内で移動させる移動手段と、具備したことを特徴とする映像表示装置。
【請求項６】
前記検出手段は、前記平均映像レベルが規定値以下であることを検出してシーン変化を検出し、前記移動手段は、前記平均映像レベルが規定値以下である場合に前記映像の移動処理を行うことを特徴とする請求項５に記載の映像表示装置。
【請求項７】
前記検出手段は、前記平均映像レベルが不連続的に変化したことを検出してシーン変化を検出し、前記移動手段は、前記平均映像レベルが不連続的に変化した時点で前記映像の移動処理を行うことを特徴とする請求項５に記載の映像表示装置。
【請求項８】
前記検出手段は、前記シーンの変化及び平均映像レベルの変化量を検出し、前記移動手段は、前記シーン変化のタイミングに合わせて前記平均映像レベルの変化量に応じた量だけ前記映像を移動するようにしたことを特徴とする請求項５に記載の映像表示装置。
【請求項９】
前記検出手段は、所定期間シーン変化が検出されない場合に、移動指示信号を発生し、前記移動手段は、移動指示信号に応答して前記映像の移動処理を行うことを特徴とする請求項５に記載の映像表示装置。
【請求項１０】
スクリーンに塗布された蛍光体を発光させて前記スクリーンに映像を表示する映像表示装置において、
映像信号源からの入力映像信号を処理して出力する入力映像処理手段と、
タイミング信号発生手段と、
前記入力映像処理手段からの映像信号を処理し、前記スクリーンに表示される映像の少なくとも一部を、前記タイミング信号発生手段からのタイミング信号に応答して前記スクリーンの表示エリア内で移動させ、その移動軌跡が略円形状になるようにした移動手段と、を具備したことを特徴とする映像表示装置。
【請求項１１】
前記移動手段は、前記入力映像処理手段からの映像信号を、平行線および垂直線を境界線として前記映像を区分し、当該平行線および垂直線の交点が略円形状の軌跡をとるように移動処理することを特徴とする請求項１０に記載の映像表示装置。
【請求項１２】
スクリーンに塗布された蛍光体を発光させて前記スクリーンに映像を表示するようにした映像表示方法であって、
入力映像処理手段からの映像信号の平均映像レベルを検出して映像のシーン変化を検出し、
前記スクリーンに表示される映像を、前記平均映像レベルの検出結果に応答して前記スクリーンの表示エリア内で移動させることを特徴とする映像表示方法。
【請求項１３】
前記平均映像レベルが不連続的に変化したことを検出して前記シーン変化の検出を行うことを特徴とする請求項１２に記載の映像表示方法。
【請求項１４】
前記平均映像レベルの変化を検出したとき、同時に平均映像レベルの変化量も検出し、この平均映像レベルの変化量に応じた量だけ前記映像を移動するようにしたことを特徴とする請求項１２に記載の映像表示方法。
【請求項１５】
前記平均映像レベルの変化が所定期間継続して検出されない場合に、移動指示信号を発生し、この移動指示信号に応答して前記映像の移動処理を行うことを特徴とする請求項１２に記載の映像表示方法。
【発明の詳細な説明】
【０００１】
【発明の属する技術分野】
この発明は、プラズマ表示装置やＣＲＴディスプレイなどのように、蛍光体を利用して映像を表示する映像表示装置及び表示方法に関する。特に本発明は、この種の映像表示装置における焼付け現象を低減するためのピクチャーシフト機能の改良に関する。
【０００２】
【従来の技術】
プラズマ表示装置などのパネルディスプレイ装置（以下ＰＤＰと略記する）は、高電圧により画素に放電を発生させ、これにより生じる紫外線により蛍光体を発光させて映像を表示する。蛍光体はその使用時間に比例して劣化する。劣化すると同量の紫外線が当たっても発光量が減ることになる。例えば画面の１部だけを白色にした信号を長時間表示すると、白色部分の蛍光体だけが使われ劣化する。この状態で全画面に白色を表示すると劣化した部分の輝度が他の部分の輝度よりも低くなり、その部分が人の目により認識できてしまう。
【０００３】
ＣＲＴディスプレイなどにおいても同様な現象が生じるが、ＰＤＰは極小画素の中で強力な放電を行うために蛍光体の劣化が激しく、ＣＲＴよりも短時間で蛍光体が劣化する。このように、蛍光体が劣化することで輝度が低下する現象を焼付け現象と称する。
【０００４】
ＰＤＰにおける焼付け現象の根本的対策には、蛍光体材料の改善や画素構造の見直しによる発光の高効率化などがある。しかしながらこれらの手法はいずれもパネルそのものの抜本的改善を意味するために、早急に実現することは難しい。
【０００５】
そこで、現状のパネルを使用する場合の焼付け防止対策として、ピクチャーシフト機能が利用される。ピクチャーシフト機能とは、映像全体を一定時間ごとに移動させる機能であり、例えば５分ごとに、画面内において上→左→下→右というように映像全体を移動させるようにする。
【０００６】
ところで、既存の表示装置におけるピクチャーシフト機能では、非表示のオーバースキャン領域をも含む映像全体を移動させるようにしている。よって移動しても画面端が欠けないようにするためのオーバースキャン幅が必要となる。加えてオーバースキャン幅が決まることにより映像の移動可能な量が制限されることになる。
【０００７】
また、映像の移動のタイミングが一定周期であるために、静止画が表示されている状態で移動タイミングが到来すると、映像が移動したことが視聴者に容易に認識され視聴者に違和感を与えていた。さらに、既存のピクチャーシフト機能による映像の移動パターンは、水平方向または垂直方向への比較的単純なパターンに留まり、より積極的に焼付けを低減しようとするものではなかった。
【０００８】
なお、関連する技術が下記特許文献１および非特許文献１に開示される。特許文献１には、既存のピクチャーシフト機能に関する基本的な内容が開示される。非特許文献１には、ＰＤＰの動作に関する一般的内容が開示される。
【０００９】
【特許文献１】
特開２０００−２２７７７５号公報（段落番号［０００９］〜［００１６］、図１）
【００１０】
【非特許文献１】
Ｊａｐａｎ  Ｄｉｓｐｌａｙ  ‘９２  「Ｓ１６−２  Ａ  Ｆｕｌｌ  Ｃｏｌｏｒ  ＡＣ  Ｐｌａｓｍａ  ｗｉｔｈ  ２５６  Ｇｒａｙ  Ｓｃａｌｅ」，Ｐ６０５−Ｐ６０８
【００１１】
【発明が解決しようとする課題】
以上述べたように既存の映像表示装置のピクチャーシフト機能は、画面端が欠けることを避けるためには映像の移動量が制限され、よって所望の効果を得難いというジレンマを有する。また視聴者に違和感を与えることがあり、より効果的な焼付き防止機能の提供が待たれている。
本発明は上記事情によりなされたもので、その目的は、画面端が欠けること無く、また視聴者に違和感を感じさせること無く効果的に焼付けを防止し得る映像表示装置を提供することにある。
【００１２】
【課題を解決するための手段】
上記目的を達成するために本発明は、スクリーンに塗布された蛍光体を発光させて前記スクリーンに映像を表示する映像表示装置において、
映像信号源からの入力映像信号を処理して出力する入力映像処理手段と；前記入力映像処理手段からの映像信号が入力され、前記スクリーンに表示される映像を複数の領域に区分し、各領域の映像信号を処理して前記スクリーンに対する各領域の面積比を一部の領域では増加させ、別の領域では減少させる信号変換手段と；前記複数の領域の面積比を所定のタイミングで変更し、スクリーンに表示される映像の前記複数領域の境界線を移動させる移動手段とを具備したことを特徴とする。
【００１３】
このような手段を講じることにより、画面全体が移動するのではなく、画面端の位置はそのままにして、表示フレーム内において複数に区分された領域の圧縮比、および伸長比が変化するといったかたちで、既存のピクチャーシフト機能と同様に画面を移動させることができる。従って画面端が欠けることなく、また画面の移動量が制限されることも無く焼付きを防止することが可能となる。
【００１４】
また、本発明は、スクリーンに塗布された蛍光体を発光させて前記スクリーンに映像を表示する映像表示装置において、
映像信号源からの入力映像信号を処理して出力する入力映像処理手段と；前記入力映像処理手段からの映像信号の平均映像レベルを検出し、映像のシーン変化を検出する検出手段と；前記入力映像処理手段からの映像信号を処理し、前記スクリーンに表示される映像を、前記検出手段による検出結果に応答して前記スクリーンの表示エリア内で移動させる移動手段と具備したことを特徴とする。
【００１５】
このような映像表示装置によれば、平均映像レベルが予め設定された範囲を越えて変化したときに映像を移動させるため、視聴者が移動に気づく可能性を大幅に減らすことができ、視聴者に違和感を感じさせないようにすることが可能となる。
【００１６】
さらに本発明は、スクリーンに塗布された蛍光体を発光させて前記スクリーンに映像を表示する映像表示装置において、
映像信号源からの入力映像信号を処理して出力する入力映像処理手段と；タイミング信号発生手段と；前記入力映像処理手段からの映像信号を処理し、前記スクリーンに表示される映像の少なくとも一部を、前記タイミング信号発生手段からのタイミング信号に応答して前記スクリーンの表示エリア内で移動し、その移動軌跡が略円形状になるようにした移動手段とを具備したことを特徴とする。
【００１７】
このような本発明では、円形に映像を移動させることにより、効果的に焼付きを防止できる。
【００１８】
【発明の実施の形態】
以下、図面を参照して本発明の実施の形態を詳細に説明する。
図１は、本発明に関わる映像表示装置の一実施の形態を示す機能ブロック図である。図１において、信号処理部１０から出力される映像信号はスケーラ２１を介して制御部２４に与えられる。信号処理部１０は、チューナ１１またはビデオ入力１２からの映像信号のいずれかを選択的に切り替え出力するＡ／Ｖセレクタ１３を備え、ＲＯＭ（Ｒｅａｄ  Ｏｎｌｙ  Ｍｅｍｏｒｙ）２３に記憶されるデータに基づくＴＶコントローラ２２の制御のもとで動作する。チューナ１１は、映像表示装置が設置される地域において受信可能なＴＶ放送信号を受信し、いずれかのチャネルを選択的に切り替えて表示供するための映像信号を復調する。
【００１９】
制御部２４は、映像信号から種々のデータを取得してデータ処理部２８に与える。また映像信号はＹ−変換処理部２５およびＸ−変換処理部２７に与えられ、ディスプレイパネル２６の表示サイズに合うように適宜映像のサイズが圧縮および伸長される。データ処理部２８は、与えられたデータに基づいてディスプレイパネル２６を制御する。
【００２０】
ディスプレイパネル２６は、スクリーン（図示せず）に塗布される赤（Ｒ）、緑（Ｇ）、青（Ｂ）の３色の蛍光体を発光させることによりスクリーンに映像を表示する。
【００２１】
ところで、制御部２４は、移動処理部２４ａ、ＡＰＬ検出部２４ｂ、およびタイミング信号発生回路２４ｃを備える。移動処理部２４ａは、ディスプレイパネル２６のスクリーンに表示される映像を複数の領域に区分し、各領域の前記スクリーンに対する面積比を変化させることにより、各領域の境界線を規定の移動タイミングで移動させる。すなわち移動処理部２４ａは、複数の領域ごとにＹ−変換処理部２５の圧縮伸張率、およびＸ−変換処理部２７の圧縮伸張率を変化させることにより、各領域のフレームに対する縦横比を変化させる。ＡＰＬ検出部２４ｂは、映像信号から平均映像レベル（ＡＰＬ）を検出する。
【００２２】
図２および図３は、移動処理部２４ａの処理の様子を模式的に示す図である。図２に示されるように、スクリーン内における任意の位置の映像を移動させるためには、非表示のオーバースキャン部分を含む映像端から移動させたい位置までの圧縮伸張率を変えるようにする。このようにすることで、画面端が欠けることなく、従来のピクチャーシフト機能と同じように映像を移動させることができる。
【００２３】
図３に示されるように、映像を水平方向のみに関して移動させる場合には、任意の垂直線を中心に圧縮伸張処理を行う。また、任意の画素を中心として圧縮伸張処理を実施することも可能である。図２、図３には水平方向の移動を示すが、垂直方向に関しても同様の処理を行うことができる。
【００２４】
映像領域ごとに異なる圧縮伸張率を適用することにより映像は歪むことになるが、それにともなう画像の移動量が小さければ不具合はない。現在のワイドテレビ受像機にあっては、１６：９ワイド画面に４：３の映像を表示する場合、中央部分は標準とし、画像端に近づくほどに映像を伸張するモードが用意されていることからも、特に不具合なく映像を表示できる。
【００２５】
特に、スクリーンに水平線および垂直線を仮想的に設定してこれらの線によりフレームを区分する場合には、水平線および垂直線の交点を中心として映像が移動する。この場合、中心位置よりも画面端に近づくほどに移動量が小さくなる。そこで、常に同じ位置を中心にせず、任意の時間間隔で中心位置を移動させることにより、画面全体として焼付け防止の効果が高くなる。また、中心位置を複数設定して、それぞれの場所で移動を行うことも可能である。
【００２６】
焼き付けが発生しやすい映像としては、通常の動画映像の中に表示される時刻表示やチャンネル番号表示があり、これら時刻やチャンネルの文字等はスクリーンの右上または左上の固定された位置に表示されるため、焼き付けが生じやすくなる。従ってこのような場合は上記中心位置を左上と右上に限定して交互に移動を行えばよい。
【００２７】
このように本実施形態では、スクリーンに塗布された蛍光体を発光させてスクリーンに映像を表示する映像表示装置において、スクリーンに表示される映像を複数の領域に区分し、各領域の前記スクリーンに対する面積比を変化させて前記複数の領域の境界線を規定の移動タイミングで移動させるようにしている。これによれば、映像端の位置を固定しておくことができるので、映像の移動によって表示映像が欠けることはない。また、移動量もオーバースキャン幅を考慮することなく任意に決めることができる。従って画面端が欠けることなく、スクリーンの焼付きを防止することが可能になる。
【００２８】
また、ＰＤＰなどのように固定画素の表示装置は、表示する映像信号を表示装置の画素サイズに合わせるための圧縮伸張処理部、すなわちＹ−変換処理部２５およびＸ−変換処理部２７を既に備えている。本実施形態ではこれらの処理部を制御して圧縮伸張比を時間的に変化させるようにしており、大幅な回路追加や変更を伴わずに実施することができる。
【００２９】
（第２の実施形態）
次に、本発明の第２の実施形態を説明する。本実施形態においては、移動処理部２４ａは、表示する映像が大きく変化した時点など、視聴者が移動したことに気が付きにくいタイミングで映像を移動させる。タイミング信号発生回路２４ｃは、映像の移動を指示するタイミング信号を発生し、移動処理部２４ａでの移動開始のタイミングを制御する。
【００３０】
視聴者に認識しづらくするためには、例えば表示チャンネルが切り替えられた時点、またはＣＭ放送が開始された時点に、映像の移動タイミングを設定すると良い。このような時点においては比較的移動量を大きくしても視聴者は認識しずらい。ＣＭ放送の検出は、例えば文字多重放送のモード判別機能などを用いれば良い。この種の機能は、既存のビデオ録画装置などの録画時のＣＭカット機能などとして知られている。タイミング信号発生回路２４ｃは、チャンネル切り替え時やＣＭ放送検出に合わせて移動を指示するタイミング信号を発生する。
【００３１】
また本実施形態においては、移動処理部２４ａは、ＡＰＬ検出部２４ｂによるＡＰＬの検出の結果に応じて画像の移動タイミング、または移動量の少なくともいずれか一方を制御する。具体的には、ＡＰＬ検出部２４ｂにより検出されるＡＰＬがほぼ０である場合、すなわち映像がほぼ黒である場合に映像を移動させるようにする。このようにしても、映像がほとんど表示されていないことから、視聴者は映像が移動したことを認識しづらい。
【００３２】
また、ＡＰＬが大幅に変動した時点は、表示される映像が大幅に変化した時点である可能性が高い。よってこの時点で映像を移動させれば同様の効果を得られる。逆にＡＰＬの変動量が少ないときは、映像を移動させないように制御すると良い。
【００３３】
ところで、ＡＰＬの変化に基づいて映像を移動させる場合には、移動のタイミングが不規則となり、移動の時間間隔がランダムになる。このためピクチャーシフト機能は、移動の時間間隔が長くなると効果が薄れる。よって移動の時間間隔の最大値を予め決めておき、この時間内にＡＰＬの変動に基づく映像移動の契機を得られない場合には、映像を強制的に移動させるようにしても良い。上記時間間隔の計測は、例えばＴＶコントローラ２２内のマイコンに経時機能（タイマー）を持たせておき、所定の時間が経過したときにタイミング信号発生回路２４ｃを制御して移動指示を行うようにすれば良い。
【００３４】
図４は、制御部２４の動作を説明するためのフローチャートである。図４において、ステップＳ１では、映像信号のＡＰＬを検出し、ステップＳ２ではＡＰＬが予め設定したレベル以下にあるかを検出し、規定レベル以下であることを検出したときはステップＳ３で映像の移動処理を行う。またステップＳ４では、ＡＰＬが大幅に変化した場合にそれを検出し、ステップＳ３に進んで映像の移動処理を行う。さらにステップＳ５では、ＡＰＬの変化がない時間を計測し、所定期間継続してＡＰＬの変化がない場合にステップＳ３に進み映像の移動処理を行う。こうしてＡＰＬに応答した焼き付け防止を実現することができる。
【００３５】
また、前回移動したときからの経過時間に応じて移動量を変えることもできる。例えば、前回の移動から１分以内の場合は１画素だけ動かし、前回から５分以上経った場合は、３画素動かすなどとすると良い。
【００３６】
さらに、ＡＰＬの変動量に応じて１回の移動量を変えるようにしても良い。例えばＡＰＬ変動量を３段階に分けておき、変動量が最も少ない段階においては移動量を０とし、変動量が中間の段階においては映像を１画素分だけ移動させ、変動量が最も大きい段階においては一度の移動量を３画素分などとしても良い。
【００３７】
以上のように、ＡＰＬの状態や、チャンネル切り替え、ＣＭ検出などの時点において映像を移動させるころで、視聴者が移動に気づく可能性を大幅に減らすことができ、従って視聴者に違和感を感じさせないようにすることが可能となる。
【００３８】
（第３の実施形態）
次に、本発明の第３の実施形態を説明する。本実施形態においては、映像の移動のパターンを適切にすることにより焼付き防止機能の効果を高めるようにする。
【００３９】
図５は、本実施形態における効果を説明するための概念図である。すなわちピクチャーシフト機能においては、全体としての移動量が大きいほどに焼付きの防止効果も高い。本実施形態では、映像の移動に関するポイントの数を増やすことにより同様の効果を得るようにする。
【００４０】
図５に示すように、移動パターンが同一の四角形パターンであっても、移動量が変わることで中心の黒部分の面積が小さくなる。すなわち焼付き防止効果を高めることができる。また、図５（ａ）〜図５（ｃ）に示すように順次移動ポイントの数を増やすことで中間の階調数（灰色）が増え、より自然に輝度変化していることがわかる。
【００４１】
図６は、本実施形態における移動ポイントの移動の様子を示す概念図である。図６（ａ）に示されるように本実施形態では、移動処理部２４ａにより、移動ポイントの移動パターンを略円形状とする。すなわち移動の１周期において、円を描くように全体の移動パターンを移動させるようにする。特に本実施形態では、第１の実施形態において述べた水平線および垂直線の交点を、上記のパターンで動かすようにする。
【００４２】
このような移動パターンとすることで、中心からの距離がほぼ等しい状態で移動ポイントが移動する。このため図６（ｂ）に示されるように、移動した画像の重なり具合を均一にすることができ、これにより焼付きを効果的に防止することができる。
【００４３】
図７は、比較のため移動ポイントを菱形状に移動させた様子を示す模式図である。図７（ａ）はその異動軌跡を示し、１周期分の移動回数は図６（ａ）と同じである。この場合、図７（ｂ）に示されるように、中央の黒い部分が図６（ｂ）比べて大きい。よってやはり円形の移動パターンのほうが効果的に焼付きを防止できることが判る。
【００４４】
図８は、比較のため移動ポイントを四角形状に移動させた様子を示す模式図である。図８（ａ）はその異動軌跡を示し、１周期分の移動回数は図５（ａ）と同じである。この場合、図８（ｂ）に示されるように、縦および横の移動に伴う十字形がはっきり現われてしまう。これからも、やはり円形の移動パターンのほうが効果的に焼付きを防止できることが判る。
【００４５】
以上述べたように上記各実施の形態によれば、画面端が欠けること無く、また視聴者に違和感を感じさせること無く効果的に焼付けを防止し得る映像表示装置を提供することが可能となる。
なお本発明は上記実施の形態そのままに限定されるものではない。例えば実施形態においては表示装置の例としてＰＤＰを示したが、これに代えてＣＲＴディスプレイなど、焼付けを生じ得る材料を使用する表示装置のすべてに本発明を適用することが可能である。
【００４６】
さらに本発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４７】
【発明の効果】
以上詳しく述べたように本発明によれば、画面端が欠けること無く、また視聴者に違和感を感じさせること無く効果的に焼付けを防止し得る映像表示装置を提供することができる。
【図面の簡単な説明】
【図１】本発明に関わる映像表示装置の一実施の形態を示す機能ブロック図。
【図２】図１の移動処理部２４ａの処理の様子を模式的に示す図。
【図３】図１の移動処理部２４ａの処理の様子を模式的に示す図。
【図４】図１の制御部２４の動作を説明するためのフローチャート。
【図５】本発明の第３の実施の形態により得られる効果を説明するための概念図。
【図６】本発明の第３の実施形態における移動ポイントの移動の様子を示す概念図。
【図７】比較のため移動ポイントを菱形状に移動させた様子を示す模式図。
【図８】比較のため移動ポイントを四角形状に移動させた様子を示す模式図。
【符号の説明】
１０…信号処理部、１１…チューナ、１２…ビデオ入力、１３…Ｖセレクタ、２１…スケーラ、２２…ＴＶコントローラ、２３…ＲＯＭ、２４…制御部、２４ａ…移動処理部、２４ｂ…ＡＰＬ検出部、２４ｃ…タイミング信号発生回路、２５…Ｙ−変換処理部、２６…ディスプレイパネル、２７…Ｘ−変換処理部、２８…データ処理部
【図１】
2005031369.tif 000003
【図２】
2005031369.tif 000004
【図３】
2005031369.tif 000005
【図４】
2005031369.tif 000006
【図５】
2005031369.tif 000007
【図６】
2005031369.tif 000008
【図７】
2005031369.tif 000009
【図８】
2005031369.tif 000010